(57)【特許請求の範囲】
【請求項１】
対物レンズと、前記対物レンズの保護部材と、これらを保持するレンズ保持部材を備え、前記対物レンズを通して光記録媒体にレーザ光を集光することにより情報信号の記録または再生を行う光ピックアップにおいて、前記レンズ保持部材には前記対物レンズのコバと嵌合する第１の嵌合部と、前記対物レンズのコバの前記光記録媒体と対向しない面と当接する第１の座面と、前記対物レンズを接着するために接着用凹部が形成され、前記保護部材には、前記対物レンズのコバと嵌合する第２の嵌合部と、前記対物レンズのコバの前記光記録媒体と対向しない面と当接する第２の座面と、前記対物レンズへ入射するレーザ光の径を制限するアパーチャと、前記光記録媒体の方向に前記対物レンズよりも突出した保護部と、前記接着用凹部に対向する位置であって、かつ前記対物レンズのコバが前記レンズ保持部材に対して前記保護部材から露出するように設けられた切り欠き部と、が一体的に形成されており、前記切り欠き部において、前記対物レンズのコバが前記レンズ保持部材の前記第１の嵌合部と勘合し、かつ前記対物レンズのコバの前記光記録媒体と対向しない面と前記第１の座面とが当接し、前記接着剤凹部には接着剤が充填されていることを特徴とする光ピックアップ。
【請求項２】
前記光記録媒体を回転駆動し、前記光記録媒体に前記レーザ光を集光し、その反射光から前記光記録媒体の情報信号を再生し記録する光ディスク装置であって、請求項１に記載の光ピックアップを搭載したことを特徴とする光ディスク装置。
【発明の詳細な説明】
【技術分野】
【０００１】
本発明は光記録媒体である光ディスクに対してレーザ光を照射し、情報信号を記録または再生するために使用される光ピックアップ及び光ディスク装置に関する。
【背景技術】
【０００２】
図８には従来の光ディスク装置の概略構成を示す。ここで１は光ディスク、２は光ピックアップ、３は光ディスク１を回転駆動するスピンドルモータである。光ピックアップ２はレーザ光源６、コリメータレンズ７、ビームスプリッタ８、集光レンズ９、受光素子１０、対物レンズ２０、および対物レンズ２０をフォーカス制御およびトラッキング制御するアクチュエータ１１より構成される。
【０００３】
光ディスク１は基板１２、基板１２上に形成した可逆的に相状態が変化し得る相変化材料から成る情報信号記録層１３、および透明な樹脂材料から成る厚さ０．１ｍｍ程度のカバー層１４より構成される。情報信号記録層１３には、らせん状または同心円状の記録トラックが形成されている。なお情報信号記録層１３は、光磁気記録材料、またはピット（凹凸）を形成した金属反射膜から成るのであってもよい。また光ピックアップ２は光ディスク１のカバー層１４に対向する側に配置される。
【０００４】
図６にアクチュエータ１１の構成を示す。アクチュエータ１１は、固定部１５と可動部１６から成り、固定部１５は永久磁石１７ａ，１７ｂ、ヨーク１８、および支持基台１９で構成される。可動部１６は対物レンズ２０、フォーカスコイル２１、トラッキングコイル２２、およびこれらを保持するレンズ保持部材２３で構成される。弾性支持部材２４ａ，２４ｂ，２４ｃ，２４ｄは線状で弾性および高導電性を有し、一端は支持基台１９に固定され、他端は可動部１６に固定されている。そして弾性支持部材２４ａ，２４ｂ，２４ｃ，２４ｄは、光ディスク１に対して垂直な方向およびラジアル方向への変位が自在であるように可動部１６を保持している。また弾性支持部材２４ａ，２４ｂ，２４ｃ，２４ｄはレンズ保持部材２３上でフォーカスコイル２１、およびトラッキングコイル２２に電気的に接続されている。
【０００５】
光ディスク装置はさらに図８に示すように、アクチュエータ１１をフォーカス制御、およびトラッキング制御するための、エラー信号生成回路４と制御回路５を備え、制御回路５は、弾性支持部材２４ａ，２４ｂ，２４ｃ，２４ｄを通してフォーカスコイル２１とトラッキングコイル２２に制御電流を供給する。
【０００６】
情報信号の記録を行う場合、まずスピンドルモータ３により光ディスク１を回転駆動する。この状態で、レーザ光源６が発生するパルス状に変調されたレーザ光を、コリメータレンズ７によって平行光とする。そして、平行光となったレーザ光をビームスプリッタ８に通し、対物レンズ２０によって収束させ、光ディスク１のカバー層１４を通して情報信号記録層１３上に微小な光スポットに集光するように照射する。
【０００７】
光ディスク１の情報信号記録層１３は、パルス変調されたレーザ光の照射によって、繰り返し加熱、冷却が行われ、そのプロセスの違いによってアモルファス相、または結晶相に相状態が変化した記録マークが情報信号として形成される。
【０００８】
また記録された情報信号の再生を行う場合にも、同様にスピンドルモータ３により光ディスク１を回転駆動し、この状態でレーザ光源６が発生する一定強度のレーザ光を光ディスク１のカバー層１４を通して情報信号記録層１３上に微小な光スポットに集光するように照射する。この時の情報信号記録層１３からの反射光の強度は、記録マークにより変化するので、これより情報信号を再生する。
【０００９】
このような情報信号の記録および再生動作中は、光ディスク１で反射された光ビームはビームスプリッタ８で反射され、集光レンズ９によって集光され、受光素子１０により検出される。受光素子１０は複数に分割された受光面を備え、各受光面の検出信号から、エラー信号生成回路４によってフォーカスエラー信号とトラッキングエラー信号が生成される。
【００１０】
さらに制御回路５はこのフォーカスエラー信号とトラッキングエラー信号に基づく制御電流を、弾性支持部材２４ａ，２４ｂ，２４ｃ，２４ｄを通してフォーカスコイル２１とトラッキングコイル２２に供給する。アクチュエータ１１はこの制御電流と、永久磁石１７ａ，１７ｂが発生する磁束との間で発生する電磁的な力によって、可動部１６を光ディスク１に対して垂直に接離する方向と、記録トラックに直交するラジアル方向とに駆動するのである。
【００１１】
このようにして光スポットは、光ディスク１が面振れにより垂直方向に変位しても、これに追従して記録トラック上に正確に集光するようにフォーカス制御される。また、記録トラックが偏芯によりラジアル方向に変位してもこれに追従しながら走査するようにトラッキング制御される。
【００１２】
前述の通り、近年対物レンズ２０のＮＡの増加に伴って、作動距離（対物レンズ２０とカバー層１４の表面の間隔）は短縮される傾向にある。さらに光ディスク装置の小型化に対する要求に伴って、対物レンズ２０も小径化が望まれており、従来０．８ｍｍ以上であった作動距離を０．２〜０．３ｍｍとすることが検討されている。
【００１３】
ここで、アクチュエータ１１が正常にフォーカス制御動作している時には、対物レンズ２０とカバー層１４の表面の間には、常にこの作動距離が保たれている。しかし、アクチュエータ１１が正常に制御できない場合がある。それは、アクチュエータ１１による制御動作を行っていない非動作時に外部から衝撃や振動が装置に加えられた場合である。更に、制御動作の開始時や制御動作中に、外部からの衝撃や振動、または光ディスク１上の汚れや傷の影響で正常なエラー信号が得られない等の場合もある。このような場合には、可動部１６が過剰に変位して光ディスク１に接近し、場合によっては接触することもある。しかも現実的な装置の組み立ての精度を考慮すると、このような可動部１６の過剰な変位を、作動距離の途中の位置で規制するストッパ等の機構を設けることは困難である。
【００１４】
このように可動部１６の過剰な変位による光ディスク１との接触を、いかなる場合にも完全に防止するのは困難である。しかし、仮に接触した場合であっても情報信号の記録、再生性能を低下させるような損傷が対物レンズ２０および光ディスク１に発生することがないように、少なくとも対物レンズ２０と光ディスク１の直接の接触は防止する対策が必要である。
【００１５】
そこでこのような対策として、特開平１０−３２０８０２号公報には、対物レンズの周囲に対物レンズよりも光ディスク側に突出するように、環状の保護部材を設けた例が示されている。図７は前記公報に記載された対物レンズ保持部分の構成を示す断面図である。対物レンズ２０はレンズ保持部材２３に形成された取り付け孔内において、コバ２５の下面２５ｂを取り付け孔の周囲に形成した座面に当接させて取り付けられている。またコバ２５の上面２５ａには、保護部材２７が取り付けられている。
【００１６】
ここで保護部材２７は軟質の樹脂材料からなっており、その上面は少なくとも対物レンズ２０の曲面部の頂点よりも高く、作動距離以下の高さにある。従って制御動作が正常である時に保護部材２７が光ディスク１と接触することはない。また制御動作が正常に行われず、可動部が過剰に変位して光ディスク１に接近した場合には、保護部材２７が光ディスク１と接触するが、対物レンズ２０は直接光ディスク１に接触することなく保護されるのである。
【００１７】
このような場合、保護部材と光ディスクとの接触の回数が増加するにつれて保護部材も磨耗、あるいは損傷し、やがては対物レンズに対する保護機能が果たせなくなる。また光ディスクのカバー層の表面も同様に損傷し、正常な情報信号の記録、再生に支障が生じる。そこでこのような事態を防止し、十分に長期間の使用を可能とするには、保護部材の上面の高さは、対物レンズの作動距離の範囲内で最小限にまで下げ、対物レンズを確実に保護する。
【００１８】
一方で、保護部材と光ディスクとの間に十分なクリアランスを確保し、カバー層との接触の頻度を最小限に低減するべきである。
【００１９】
このように保護部材の対物レンズからの突出量は所定の範囲である必要があり、その上限よりも大きいと保護部材と光ディスクの接触の頻度が増加し、保護部材自体だけでなく光ディスクの損傷が問題となる。
【００２０】
一方で下限よりも小さいと、保護部材の磨耗により対物レンズと光ディスクが直接接触したり、光ディスク上の付着物と対物レンズの接触を防止できないという問題が発生する。
【００２１】
そのため、例えば、対物レンズのＮＡが０．６５程度で、作動距離が０．８ｍｍ以上の場合、保護部材の対物レンズからの突出量は、比較的広い範囲内（例えば、０．０５ｍｍ以上かつ０．６５ｍｍ以下）であれば、対物レンズを保護できる。また、保護部材と光ディスクとの間にも十分なクリアランスを確保することは十分に可能である。
【００２２】
また、例えば対物レンズのＮＡを０．８５、作動距離を０．３ｍｍの場合には、保護部材の対物レンズからの突出量は、それよりも狭い範囲内、例えば０．０５ｍｍ以上かつ０．１５ｍｍ以下にする必要がある。
【特許文献１】特開平１０−３２０８０２号公報
【発明の開示】
【発明が解決しようとする課題】
【００２３】
上記のように、光ディスクの高密度化のためにＮＡが増加するにしたがって、保護部材の対物レンズからの突出量は狭い範囲内に収める必要が出てきた。
【００２４】
しかし従来技術のように非常に薄いシート状の保護部材は、柔軟で強度が不十分であるから、接着作業による変形の結果、表面が平坦にならず、高さにむらを生じる。このため、保護部材自体、および接着剤の厚さのばらつきも加えて、高さが上記のような狭い範囲内に収まるようにすることは非常に困難となる。
【００２５】
そのため、本発明の目的は、対物レンズのコバ上面に接着剤を用いずに、平坦性のある保護部材を設けて、対物レンズを保護することのできる光ピックアップ及び光ディスク装置を提供する。
【課題を解決するための手段】
【００２６】
本発明による光ピックアップは、対物レンズと、前記対物レンズの保護部材と、これらを保持するレンズ保持部材を備え、  前記対物レンズを通して光記録媒体にレーザ光を集光することにより情報信号の記録または再生を行う光ピックアップにおいて、前記レンズ保持部材には前記対物レンズのコバと嵌合する第１の嵌合部と、前記対物レンズのコバの前記光記録媒体と対向しない面と当接する第１の座面と、前記対物レンズを接着するために接着用凹部が形成され、前記保護部材には、前記対物レンズのコバと嵌合する第２の嵌合部と、前記対物レンズのコバの前記光記録媒体と対向しない面と当接する第２の座面と、前記対物レンズへ入射するレーザ光の径を制限するアパーチャと、前記光記録媒体の方向に前記対物レンズよりも突出した保護部と、前記接着用凹部に対向する位置であって、かつ前記対物レンズのコバが前記レンズ保持部材に対して前記保護部材から露出するように設けられた切り欠き部と、が一体的に形成されており、前記切り欠き部において、前記対物レンズのコバが前記レンズ保持部材の前記第１の嵌合部と勘合し、かつ前記対物レンズのコバの前記光記録媒体と対向しない面と前記第１の座面とが当接し、前記接着剤凹部には接着剤が充填されていることを特徴とするものである。
【発明の効果】
【００２７】
本発明による光ピックアップによれば、光ディスクと対向する対物レンズのコバ上面に接着剤を用いないため、対物レンズを保護する保護部材の表面の平坦性を保つことができる。そのため、保護部材と光ディスクとの間には十分なクリアランスを確保できると共に、保護部材と光ディスクとの接触の頻度を最小限に低減でき、保護部材の長期間の使用が可能となる。
【発明を実施するための最良の形態】
【００２８】
以下本発明による光ピックアップについて説明する。光ピックアップは、対物レンズを介して光源からのレーザ光を光ディスクの情報信号記録層に対し、微小な光スポットを集光することにより情報信号の記録を行う。あるいはその反射光から記録された情報信号を再生する。そして、光ディスク装置は、図８に示すように搭載された光ピックアップを含め、次のような構成となっている。１は光ディスク、２は光ピックアップ、３は光ディスク１を回転駆動するスピンドルモータである。光ピックアップ２はレーザ光源６、コリメータレンズ７、ビームスプリッタ８、集光レンズ９、受光素子１０、対物レンズ２０、および対物レンズ２０をフォーカス制御およびトラッキング制御するアクチュエータ１１より構成される。
【００２９】
なお光ディスク装置および光ディスク装置に搭載されている光ピックアップの詳細については、図８及び背景技術に記載されている説明と同様であるので省略する。ここでは、本発明の特徴部分であるアクチュエータについて詳細に説明する。図１に本発明による光ピックアップのアクチュエータ１１の構成の一例を示す。アクチュエータ１１は、固定部１５と可動部１６から成り、固定部１５は永久磁石１７ａ，１７ｂ、ヨーク１８、および支持基台１９で構成され、可動部は対物レンズ２０、フォーカスコイル２１、トラッキングコイル２２、およびこれらを保持するレンズ保持部材３０で構成される。
【００３０】
弾性支持部材２４ａ，２４ｂ，２４ｃ，２４ｄは線状で弾性および高導電性を有し、一端は支持基台１９に固定され、他端には可動部１６を、光記録媒体である光ディスク１に対して垂直な方向およびラジアル方向への変位が自在であるように保持している。また弾性支持部材２４ａ，２４ｂ，２４ｃ，２４ｄはレンズ保持部材３０上でフォーカスコイル２１、およびトラッキングコイル２２に電気的に接続されている。
【００３１】
さらに図８に示したように光ディスク装置は、アクチュエータ１１をフォーカス制御、およびトラッキング制御するための、エラー信号生成回路４と制御回路５を備え、制御回路５は、弾性支持部材２４ａ，２４ｂ，２４ｃ，２４ｄを通してフォーカスコイル２１とトラッキングコイル２２に制御電流を供給する。
【００３２】
ここで光ディスクにレーザ光を集光するための対物レンズ２０および保護部材３５の両方が、レンズ保持部材３０に形成した接着用凹部３４ａ，３４ｂ，３４ｃ（図示せず）において接着固定される。保護部材３５は内側に対物レンズ２０を収容し、その周縁部が対物レンズ２０よりも高く形成されている。正常動作時以外で、可動部１６が過剰に変位して光ディスク１に接近した場合には、周縁部の上端面が光ディスク１と接触するが、対物レンズ２０は直接光ディスク１に接触することなく保護される。
【００３３】
また保護部材３５の底部には円形の開口が形成されており、対物レンズ２０に入射するレーザ光の径を制限するためのアパーチャとしての機能も合わせ持つ。
【００３４】
以下保護部材３５の具体的な実施形態について説明する。なおいずれの実施形態においても対物レンズ２０の作動距離（曲面部の頂点と光ディスクの間隔）は０．２５ｍｍとする。ただし対物レンズ２０の曲面部の頂点とコバ２５の上面は同一の高さであるとする。これに対して保護部材３５の対物レンズ２０の曲面部の頂点からの突出量は、０．０５ｍｍ以上かつ０．１ｍｍ以下である。
【００３５】
［第１の実施形態］
図２に本発明の第１の実施形態における対物レンズ保持部分の構造を拡大して示す。（ａ）は斜視図、（ｂ）は断面図である。また図３（ａ）に対物レンズ２０の斜視図を、（ｂ）に保護部材３５の斜視図を、（ｃ）にはレンズ保持部材３０の斜視図（部分拡大）をそれぞれ示す。
【００３６】
図３（ｃ）に示すようにレンズ保持部材３０には保護部材３５および対物レンズ２０を配設するための取り付け孔３１が形成されている。この取り付け孔３１内に、保護部材３５を介して対物レンズ２０が取り付けられる。レンズ保持部材３０は、フォーカス制御動作およびトラッキング制御動作時に、共振を発生することがないように剛性が極めて高い樹脂材料、例えば液晶ポリマー等によって構成される。また保護部材３５は光ディスク１への接触によっても損傷を与えることが無いように、レンズ保持部材３０よりも軟質で、摺動性に優れた樹脂材料、例えばＰＯＭ等によって構成される。
【００３７】
図３（ｂ）に示すように保護部材３５はカップ状であり、その内側には環状の座面３９を備えた嵌合部３８が形成されている。この嵌合部３８に対して、図３（ａ）に示す対物レンズ２０がコバ２５を嵌合させ、コバ２５の光ディスク１と対向しない下面２５ｂを座面３９に当接させて取り付けられる。これによって保護部材３５に対して、対物レンズ２０の取り付け高さおよび中心位置の精度が高めることができる。また保護部材３５の外側には鍔部４０が形成されている。
【００３８】
さらに図３（ｃ）に示すようにレンズ保持部材３０の取り付け孔３１の内側には、環状の座面３３を備えた嵌合部３２が形成されている。保護部材３５は鍔部４０をレンズ保持部材３０の嵌合部３２に嵌合させ、また鍔部４０の下面４０ａを座面３３に当接させて取り付けられる。これによってレンズ保持部材３０に対して、保護部材３５の取り付け高さ、および中心位置の精度が高められる。
【００３９】
図２（ｂ）に示すように、保護部材３５の周縁部３６の上端面は、対物レンズ２０の曲面部の頂点よりもわずかに高くなるように形成されている。そして、可動部１６が過剰に変位して光ディスク１に接近した場合には、周縁部３６が光ディスク１と接触することにより対物レンズ２０と光ディスク１との直接の接触を防止する。この周縁部３６の上端面の高さは、所定の範囲、例えば対物レンズ２０の曲面部の頂点から０．０５ｍｍ以上かつ０．１ｍｍ以下とされている。
【００４０】
図３（ｂ）および（ｃ）に示すように、保護部材３５の側面には３箇所内側まで貫通する接着孔４１ａ，４１ｂ，４１ｃが形成され、一方レンズ保持部材３０には取り付け孔３１の周囲に３箇所の接着用凹部３４ａ，３４ｂ，３４ｃが形成されている。組み立て時には、この接着用凹部３４ａ，３４ｂ，３４ｃに保護部材３５の接着孔４１ａ，４１ｂ，４１ｃの位置を合わせて内部に接着剤を充填する。接着用凹部３４ａ，３４ｂ，３４ｃ内には対物レンズ２０の一部が露出するので、レンズ保持部材３０に対して、保護部材３５および対物レンズ２０を同時に接着することができ、１回の接着工程で接着固定が完了する。
【００４１】
また図３（ｂ）に示すように、保護部材３５の下部はテーパ形状をなし、底部には円形の開口３７が形成されている。この開口３７は対物レンズ２０に入射するレーザ光の径を制限するためのアパーチャとしての機能を持っている。
【００４２】
以上説明したように、本実施形態において保護部材３５は、対物レンズ２０のコバ２５の下面２５ｂを当接させて保持する構成であるから、対物レンズ２０の作動距離による制約を受けることが無く、従来技術の説明における例のように肉薄に形成すべき部分を必要としない。従って射出成型により製造することが可能であり、高い寸法精度を容易に実現できる。さらに薄いシート状ではなく立体的なカップ形状であるから、強度が不足することもなく接着作業において変形を生じることもない。これにより保護部材３５の周縁部の高さを上記の範囲内に収めることが可能となるのである。また接着に使用する接着孔４１ａ，４１ｂ，４１ｃを側面の下方に設けておけば、接着剤が周縁部３６の上端面に付着したり、周縁部３６よりも高い隆起を生じることもなく製造が容易である。
【００４３】
なお保護部材３５に形成したアパーチャとしての開口３７の中心位置と対物レンズ２０の中心位置のずれは、対物レンズ２０によって形成される光スポットの光強度分布の偏りの原因となるため、各中心位置を高い精度で一致させることが重要である。本実施形態においては、対物レンズ２０が嵌合される保護部材３５に、アパーチャも一体的に形成したことによって、各中心位置の精度を向上し、これによって偏りのない光強度分布を得ることが可能となるのである。
【００４４】
また仮に本発明のように保護部材にアパーチャを一体的に形成するのではなく、レンズ保持部材にアパーチャを一体的に形成し、そのレンズ保持部材に対して、対物レンズのコバの下面を当接させる座面を備えた保護部材を取り付ける構造を仮定する。この場合には対物レンズの直下に保護部材のレンズ搭載部分（座面よりも下の部分）があり、さらに下方にレンズ保持部材のアパーチャ部分を重ねて配置しなければならない。このため可動部全体の厚さが増大するという新たな問題を生じる。従ってアパーチャは保護部材に一体形成するのが望ましいのである。
【００４５】
［第２の実施形態］
図４に本発明の第２の実施形態における対物レンズ保持部分の構造を拡大して示す。（ａ）は斜視図、（ｂ）は断面図である。また図５（ａ）に対物レンズ２０の斜視図を、（ｂ）に保護部材３５の斜視図を、（ｃ）にはレンズ保持部材３０の斜視図（部分拡大）をそれぞれ示す。
【００４６】
本実施形態においては、レンズ保持部材３０に対する保護部材３５、および対物レンズ２０の取り付け構造が第１の実施形態とは異なる。
【００４７】
図５（ｃ）に示すように、レンズ保持部材３０には保護部材３５および対物レンズ２０を配設するための取り付け孔３１が形成されている。この取り付け孔３１内に、保護部材３５および対物レンズ２０が取り付けられる。
【００４８】
図５（ｂ）に示すように、保護部材３５はカップ状であり、その内側には環状の座面３９を備えた嵌合部３８が形成されている。この嵌合部３８に対して、図５（ａ）に示す対物レンズ２０がコバ２５を嵌合させ、光ディスク１と対向しない下面２５ｂを座面３９に当接させて取り付けられる。これによって保護部材３５に対して、対物レンズ２０の取り付け高さ、および中心位置の精度を高めることができる。
【００４９】
図４（ｂ）に示すように、保護部材３５の周縁部３６の上端面は、対物レンズ２０の曲面部の頂点よりもわずかに高くなるように形成されている。そして、可動部１６が過剰に変位して光ディスク１に接近した場合には、周縁部３６が光ディスク１と接触することにより対物レンズ２０と光ディスク１との直接の接触を防止する。この周縁部３６の上端面の高さは、所定の範囲、例えば対物レンズ２０の曲面部の頂点から０．０５ｍｍ以上かつ０．１ｍｍ以下とされている。
【００５０】
図５（ｂ）および（ｃ）に示すように、保護部材３５の周囲には３箇所に切り欠き部４２ａ、４２ｂ、４２ｃが形成され、対物レンズ２０のコバ２５の一部を露出させる。一方レンズ保持部材３０には取り付け孔３１の周囲に３箇所、座面３３ａ，３３ｂ，３３ｃを備えた嵌合部３２ａ，３２ｂ，３２ｃが内側に突出形成されている。保護部材３５の切り欠き部４２ａ、４２ｂ、４２ｃにおいて対物レンズ２０は、コバ２５を嵌合部３２ａ，３２ｂ，３２ｃに嵌合させ、下面２５ｂを座面３３ａ，３３ｂ，３３ｃに当接させて取り付けられる。これによってレンズ保持部材３０に対して、対物レンズ２０の取り付け高さ、および中心位置の精度が高められる。
【００５１】
なお対物レンズ２０の中心位置と対物レンズ２０に入射するレーザ光の中心のずれは、対物レンズ２０によって形成される光スポットの光強度分布の偏りの原因となるため、各中心位置を高い精度で一致させることが重要である。本実施形態においては、対物レンズ２０が嵌合される保護部材３５に、アパーチャも一体的に形成したことに加え、レンズ保持部材３０に対しても対物レンズ２０が直接位置決めされるようにした点が、保護部材３５を介して間接的に位置決めされる第１の実施形態とは異なる。本実施形態のような構成とすれば、可動部１６内における対物レンズ２０の位置の精度がより高められ、さらには支持基台１９に対しても、対物レンズ２０の位置精度を高めことができる。即ちアクチュエータ１１の支持基台１９を光学系に対して高精度で取り付ければ、結果として対物レンズ２０の中心位置と入射するレーザ光の中心を高い精度で一致させることができ、これによって偏りのない光強度分布を得ることが可能となるのである。
【００５２】
さらにレンズ保持部材３０には取り付け孔３１の周囲に３箇所の接着用凹部３４ａ，３４ｂ，３４ｃが形成されている。組み立て時には、この接着用凹部３４ａ，３４ｂ，３４ｃに保護部材３５の切り欠き部４２ａ、４２ｂ、４２ｃの位置を合わせて内部に接着剤を充填する。接着用凹部３４ａ，３４ｂ，３４ｃ内には対物レンズ２０の一部が露出するので、レンズ保持部材３０に対して、保護部材３５および対物レンズ２０を同時に接着することができ、１回の接着工程で接着固定が完了する。
【００５３】
また、この接着する工程において、接着用凹部に充填される接着剤と接着する面は保護部材３５においては、光記録媒体に対向する面と垂直な面であり、
対物レンズ２０においては、コバ２５の光記録媒体に対向する面と垂直な面である方が、より好ましい。それは、光軸方向において接着剤の厚みの影響が低減できるためである。
【００５４】
また図５（ｂ）に示すように、保護部材３５の下部はテーパ形状をなし、底部には円形の開口３７が形成されている。この開口３７は対物レンズに入射するレーザ光の径を制限するためのアパーチャとしての機能を持っている。
【００５５】
以上説明したように、本実施形態においても保護部材３５は、対物レンズ２０のコバ２５の下面２５ｂを当接させて保持する構成であるから、対物レンズ２０の作動距離による制約を受けることが無く、従来技術の説明における例のように肉薄に形成すべき部分を必要としない。従って射出成型により製造することが可能であり、高い寸法精度を容易に実現できる。さらに薄いシート状ではなく立体的なカップ形状であるから、強度が不足することもなく接着作業において変形を生じることもない。これにより保護部材３５の周縁部の高さを上記の範囲内に収めることが可能となるのである。また接着に使用する切り欠き部４２ａ、４２ｂ、４２ｃを側面の下方に設けておけば、接着剤が周縁部３６の上端面に付着したり、周縁部３６よりも高い隆起を生じることもなく製造が容易である。
【００５６】
以上の実施形態により説明したように、本発明による光ピックアップおいては、保護部材３５の対物レンズ２０に対する高さの精度が高められる結果、対物レンズ２０の曲面部の頂点からの突出量を十分に狭い範囲内とすることができる。一例として、０．０５ｍｍ以上かつ０．１ｍｍ以下とすることが可能である。これにより対物レンズの作動距離が、０．２５ｍｍ程度であっても、対物レンズ２０と光ディスク１との直接の接触を防止し、かつ保護部材と光ディスクとの間には十分なクリアランスが確保でき、接触の頻度を最小限に低減できるので、十分に長期間の使用が可能となるのである。
【００５７】
また本発明による光ピックアップにおいては、対物レンズ２０が嵌合される保護部材３５に、アパーチャも一体的に形成したことによって、各中心位置の精度を向上し、これによって偏りのない光強度分布を得ることが可能となるのである。
【００５８】
また第２の実施形態において説明したように、対物レンズ２０のコバ２５の一部分を保護部材３５に対して直接位置決めするのみでなく、コバ２５の他の部分をレンズ保持部材３０に対して直接位置決めすれば、可動部１６内における対物レンズ２０の位置の精度が高められる。さらには、支持基台１９に対しても、対物レンズ２０の位置精度を高めことができる。その結果、偏りのない光強度分布を得ることが可能となるのである。
【図面の簡単な説明】
【００５９】
【図１】本発明による光ピックアップのアクチュエータの構成を示す図
【図２】本発明の第１の実施形態における対物レンズ保持部分の構成を示す図
【図３】本発明の第１の実施形態における対物レンズ保持部分の構部品の外観を示す図
【図４】本発明の第２の実施形態における対物レンズ保持部分の構成を示す図
【図５】本発明の第２の実施形態における対物レンズ保持部分の構部品の外観を示す図
【図６】従来の光ピックアップのアクチュエータの構成を示す図
【図７】従来の光ピックアップの対物レンズ保持部分の構成を示す図
【図８】光ディスク装置の構成を示す図
【符号の説明】
【００６０】
１  光ディスク
２  光ピックアップ
１１  アクチュエータ
１５  固定部
１６  可動部
１７ａ，１７ｂ  永久磁石
１８  ヨーク
１９  支持基台
２０  対物レンズ
２５  コバ
２５ａ  上面（コバ）
２５ｂ  下面（コバ）
３０  レンズ保持部材
３１  取り付け孔
３２  嵌合部
３３  座面
３４ａ，３４ｂ，３４ｃ  接着用凹部
３２ａ，３２ｂ，３２ｃ  嵌合部
３３ａ，３３ｂ，３３ｃ  座面
３５  保護部材
３６  周縁部
３７  開口
３８  嵌合部
３９  座面
４０  鍔部
４０ａ  下面
４１ａ，４１ｂ，４１ｃ  接着孔
４２ａ，４２ｂ，４２ｃ  切り欠き部
【図１】
0004378403.tif 000002
【図２】
0004378403.tif 000003
【図３】
0004378403.tif 000004
【図４】
0004378403.tif 000005
【図５】
0004378403.tif 000006
【図６】
0004378403.tif 000007
【図７】
0004378403.tif 000008
【図８】
0004378403.tif 000009